(57)【要約】【課題】机の内部に部分的に入り込ませて使用できるキャビネットにおいて、独立して使用したり机と並設したりする場合の使い勝手を向上させる。【手段】キャビネットは、平面視で長方形の本体１と、本体１の長手方向に分離して配置された２枚の天板ユニット２，３とを備えている。２枚の天板ユニット２，３は４本の支持足９〜１２を備えている。他方、本体１の第１エリア５ａと第２エリア５２とには、天板ユニット２，３の前後位置を変えることで支持足９〜１２を嵌め変えできる低位置用支持穴１３，１５と高位置用支持穴１４，１６の群が形成されている。２枚の天板ユニット２，３を備えており、かつ、両天板ユニット２，３は任意に高さ変更できるため、キャビネットを単独で使用する場合に重宝である。【選択図】図１
2008073105.tif 000002
【特許請求の範囲】
【請求項１】
物品が収納される本体と、前記本体の上方に配置される可動天板とを備えており、平面視で略半分程度を机類における机天板の下方の空間に格納し他の略半分程度は机類の外側に露出させるという配置が可能になっている、
というキャビネットであって、
前記可動天板は複数に分離した天板ユニットで構成されており、これら複数の天板ユニットは、平面視直線状に延びる境界線を境にして並んでいると共に、前記机天板の下方に入り得る低位置と机天板と略同一面を成し得る高位置とに高さ変更自在である、
天板ユニット付きキャビネット。
【請求項２】
前記複数の天板ユニットは、略同じ大きさの第１天板ユニットと第２天板ユニットとの２枚で構成されており、前記第１天板ユニットと第２天板ユニットとはそれぞれ下向きに延びる支持足を備えている一方、前記本体には、天板ユニットを前記境界線に沿った方向にずらした複数の位置において前記支持足を選択的に嵌め得る複数セットの支持穴が上向きに開口しており、天板ユニットをずらした複数の位置において足体が支持穴に嵌まり込む深さを変えることにより、第１及び第２の天板ユニットの高さが任意に変更可能となっている、
請求項１に記載した天板ユニット付きキャビネット。
【発明の詳細な説明】
【技術分野】
【０００１】
本願発明は、高さ変更可能な天板ユニットを有するキャビネットに関するものである。
【背景技術】
【０００２】
机とセットで使用するキャビネットにおいて、当該キャビネットの天板を机天板の高さと略同じと成すことにより、いわばキャビネットの天板を机天板の補助天板のような状態で使用できるようになっているものがある。その一例として本願出願人は、特許文献１において、キャビネットの天板を本体に昇降自在に取り付けられた天板ユニットと成すことにより、天板ユニットが机の外側に露出した使用状態と、天板ユニット（或いはキャビネットの全体）が机天板の下方に入り込んだ使用状態とに選択できるキャビネットを開示した。
【０００３】
他方、特許文献２には、キャビネットの本体を、ａ．机天板の下方に入り込む高さにする、ｂ．平面視で机の奥行き方向に細長い形態と成す、ｃ．机天板の間口方向（或いは机の使用者の方向）に向けて開口させる、という構成にして、この本体に、当該本体の間口寸法の略半分程度の幅寸法の１枚の天板ユニットを、机天板と略同じ高さにした状態で本体の左半部と右半部とに選択的に取り付けできるようにしたキャビネット（什器）が開示されている。
【０００４】
キャビネットを机とセットで使用する場合、キャビネットを使用者の右に配置する右使いと使用者の左に配置する左使いとがあるが、特許文献２では、天板ユニットを左右に付け替えできるため、１種類で右使いと左使いとに使用できる利点がある。
【特許文献１】特開２００２−１４２８７７号公報
【特許文献２】特許第３６２２１５１号公報
【発明の開示】
【発明が解決しようとする課題】
【０００５】
ところで、キャビネットは常に机とセットで使用するとは限らず、独立して使用する場合も有り得る。また、机とセットで使用する場合でも、机の内部に入り込ませずに、机とキャビネットとを左右に並べて配置する場合もあり得る。このように独立して使用したり机に並設したりする場合、キャビネットの上面に物を置くにおいて上面の全体が同じ高さになっているのが使い勝手が良い。
【０００６】
しかし、前記特許文献２は本体の間口寸法の半分程度の横幅の天板ユニットを１枚備えているに過ぎないため、独立して使用する場合に頗る不便であるという問題があった。特に、特許文献２の実施形態のように本体が上向きに開口していると、独立した使用は実質的に不可能と言える。
【０００７】
本願発明は、この問題を解消することを課題とするものである。
【課題を解決するための手段】
【０００８】
本願発明のキャビネットは、「物品が収納される本体と、前記本体の上方に配置される可動天板とを備えており、平面視で略半分程度を机類における机天板の下方の空間に格納し他の略半分程度は机類の外側に露出させるという配置が可能になっている。」、という基本構成になっている。
【０００９】
そして、請求項１の発明は、特徴として、「前記可動天板は複数に分離した天板ユニットで構成されており、これら複数の天板ユニットは、平面視直線状に延びる境界線を境にして並んでいると共に、前記机天板の下方に入り得る低位置と机天板と略同一面を成し得る高位置とに高さ変更自在である、
」という構成を備えている。
【００１０】
請求項２の発明は、請求項１をより具体化したもので、この発明では、前記複数の天板ユニットは、略同じ大きさの第１天板ユニットと第２天板ユニットとの２枚で構成されており、前記第１天板ユニットと第２天板ユニットとはそれぞれ下向きに延びる支持足を備えている一方、前記本体には、天板ユニットを前記境界線に沿った方向にずらした複数の位置において前記支持足を選択的に嵌め得る複数セットの支持穴が上向きに開口しており、天板ユニットをずらした複数の位置において足体が支持穴に嵌まり込む深さを変えることにより、第１及び第２の天板ユニットの高さが任意に変更可能となっている。
【発明の効果】
【００１１】
本願発明では、複数枚の天板ユニットによって本体の略全体が覆われており、かつ、各天板ユニットは高さを揃えることができる。従って、キャビネットを独立して使用するにおいて使い勝手が良い。また、各天板ユニットは独立して高さを変更できるため、机とセットで使用する（すなわち、一部又は前部の机天板の下方に入り込ませた状態で使用する。）ことは何ら支障はない。
【００１２】
天板ユニットの高さを変える機構は様々の態様を採用できるが、請求項２のように構成すると、天板ユニットの支持足を本体の支持穴に嵌め変えるだけで良いため、高さ変更の作業をワンタッチ的に行える利点がある。
【発明を実施するための最良の形態】
【００１３】
次に、本願発明の実施形態を図面に基づいて説明する。
【００１４】
(1).概要
図１は全体の外観斜視図であり、この図に示すように、キャビネットは、平面視で長方形の本体１と、本体１の上方に配置した第１天板ユニット２及び第２天板ユニット３とを主要構成要素としており、本体１は、長手方向に広がる一つの開口部を有している。以下の説明で「前，後，左，右」の文言を使用するが、この左右は、本体１の開口部と対向した方向（Ａ方向）から見た状態を基準にしており、従って、本体１の間口方向が左右方向となり、本体１の奥行き方向が前後方向となる。
【００１５】
本体１は、左右の側板４と上面を構成する上板（固定天板）５と底板（図示せず）及び背板（図示せず）を備えており、開口部には２枚の引き戸式扉６，７がスライド自在に配置されている。本体１及び扉６，７はスチール製であるが、全体を木製としたり、例えば上板５のみ木製として他の部分はスチール製とするなど、素材は様々に選択できる。
【００１６】
以下の説明では、便宜上、本体１の上面のうち第１天板ユニット２で覆われる部分を第１エリア５ａと称し、第２天板ユニット３で覆われる部分を第２エリア５ｂと称する。また、便宜上、本体１の奥側に位置した扉を第１扉６と称し、手前側に位置した扉を第２扉７と称する。第１扉６の右端部には錠８を取り付けている（錠８の詳細は後述する。）。
【００１７】
両天板ユニット２，３は平面視四角形でかつ同じ大きさであり、それぞれ左右の側部下面から２本ずつ支持足９，１０，１１，１２を下向きに突設している。便宜上、本体１の左右外側寄りに位置した支持足９，１２は「外側支持足」と称し、本体１の中間部寄りに位置した支持足１０，１１は「内側支持足」と称する。天板ユニット２，３は木製であるが、スチール製とすることも可能である。
【００１８】
本体１の上面の第１エリア５ａには、第１天板ユニット２の支持足９，１０が嵌まる支持穴１３ａ〜１３ｄ，１４ａ〜１４ｄが空いており、本体１の上面の第２エリア５ｂには、第１天板ユニット２の支持足１１，１２が嵌まる支持穴１５ａ〜１５ｄ，１６ａ〜１６ｄが空いている。１３ａ〜１３ｄで示す４つの支持穴、１４ａ〜１４ｄで示す４つの支持穴、１５ａ〜１５ｄで示す４つの支持穴、１６ａ〜１６ｄで示す４つの支持穴がそれぞれ１セットになっている。
【００１９】
以下の説明では、符号１３，１５を付した支持穴は低位用支持穴と称し、符号１４，１６を付した支持穴は高位用支持穴と称することがあり、また、符号１３〜１６は、それぞれａ〜ｄを省略して４つの穴群の総称として使用することもある（例えば、１３ａ〜１３ｄを１３と総称することがある。）。更に、本体１の左右外側寄りに位置した支持穴１３ａ，１３ｂ，１４ａ，１４ｂ，１５ｃ，１５ｄ，１６ｃ，１６ｄを外側支持穴と称し、本体１の左右中心線寄りに位置した支持穴１３ｃ，１３ｄ，１４ｃ，１４ｄ，１５ａ，１５ｇ，１６ａ，１６ｂを内側支持穴と称することがある。
【００２０】
両エリア５ａ，５ｂとも、低位用支持穴１３ａ〜１３ｄ，１５ａ〜１５ｄの配置態様と高位用支持穴１４ａ〜１４ｄ，１６ａ〜１６ｄの配置態様とは相似形になっており、前後方向にずれている。そして、低位用支持穴１３，１５には支持足９〜１２が深く嵌まり込んで天板ユニット２，３は低い高さとなり、高位用支持穴１４，１６には支持足９〜１２が浅く嵌まり込んで天板ユニット２，３は高い高さになる。以下、図２以下の図面も参照して詳述する。
【００２１】
(2).支持穴の配置態様及び天板ユニットの形態の詳細
図２のうち（Ａ）は本体１の平面図、（Ｂ）は（Ａ）の正面図であり、特に図２（Ａ）に基づいて支持穴の配置を説明する。
【００２２】
既述のとおり、両天板ユニット２，３は同じ大きさであり、本体１を左右に二分する前後長手の境界線１８を挟んで左右に配置されており、また、本体１の第１エリア５ａと第２エリア５ｂも境界線１８によって区画されている。図２（Ａ）では両天板ユニット２，３の間にかなりの間隔が空いているように描いているが、これは作図上の便宜のためであり、実際には、両天板ユニット２，３は密接（又は密着）している。
【００２３】
第１エリア５ａにおける外側支持穴１３ａ，１３ｂ，１４ａ，１４ｂから本体１の左端までの間隔ｅ１と、第２エリア５ｂにおける外側支持穴１５ｃ，１５ｄ，１６ｃ，１６ｄから本体１の右端までの間隔ｅ２とは同じ寸法であり、他方、第１エリア５ａにおける内側支持穴１３ｃ，１３ｄ，１４ｃ，１４ｄから境界線１８までの間隔ｅ３は、第２エリア５ｂにおける内側支持穴１５ａ，１５ｂ，１６ａ，１６ｂから境界線１８までの間隔寸法ｅ４よりも大きい寸法になっている。
【００２４】
従って、第１エリア５ａにおける内外支持穴の間隔寸法Ｌ１は第２エリア５ｂにおける内外支持穴の間隔寸法Ｌ２よりも小さくなっており、このため、第１天板ユニット２は第１エリア５ａにしか配置できず、第２天板ユニット３は第２エリア５ｂにしか配置できない。すなわち、両天板ユニット２，３はそれぞれ左右に付け替えることはできない。もちろん、Ｌ１＝Ｌ２とすることで両天板ユニット２，３を左右に付け替えできるようにすることも可能である。敢えて述べるまでもないが、第１天板ユニット２における内外支持足９，１０の間隔寸法はＬ１と等しく、第２天板ユニット２における内外支持足１１，１２の間隔寸法はＬ２と等しい。
【００２５】
いずれのエリア５ａ，５ｂにおいても、低位用支持穴１３，１５の群と高位用支持穴１４，１６の群との前後方向のずれ寸法は同じであり、このずれ寸法をｅ５で表示している。また、両エリア５ａ，５ｂとも、内側支持穴１３ｃ，３ｄ，１４ｃ，１４ｄ，１５ａ，１５ｂ，１６ａ，１６ｂは外側支持穴１３ａ，１３ｂ，１４ａ，１４ｂ，１５ｃ，１５ｄ，１６ｃ，１６ｄよりも若干の寸法ｅ６だけ後方にずれている。
【００２６】
両天板ユニット２，３とも、左右横幅寸法は本体１の間口寸法の半分の寸法よりも若干の寸法ｅ７だけ大きい、また、奥行き寸法（前後幅寸法）は本体１の奥行き寸法よりも若干の寸法ｅ８だけ大きくなっている。従って、天板ユニット２，３は平面視で本体１の左右両側に常にはみ出ており、また、本体１の手前側又は後ろ側にはみ出ている。ｅ７＜ｅ８になっている。
【００２７】
（ｅ２＋ｅ７）＞ｅ４に設定されており、従って、第２天板ユニット３を前後逆の姿勢にすると、第２天板ユニット３はその端面が第１天板ユニット２の右端に当たって支持足１１，１２を支持穴１５〜１６に嵌めることはできない。また、（ｅ１＋ｅ７）＞ｅ３に設定しており、従って、第２天板ユニット３を正規の姿勢で取り付けていても、第１天板ユニット２を前後逆の姿勢に取り付けることはできない（第２天板ユニット３の端面に当たって支持足９，１０を支持穴１３，１４に嵌め込むことができない。）。結局、両天板ユニット２，３は、いずれにしても前後逆の姿勢で同時に取り付けることができず、両天板ユニット２，３を本体１に同時に取り付ける場合は、２枚の天板ユニット２，３は正規の姿勢でしか取り付けることはできない。
【００２８】
次に、天板ユニット２，３のはみ出し態様を図３，４に基づいて説明する。
【００２９】
図３は天板ユニットを仮想線で示した状態での使用状態の平面図、図４は天板ユニットを実線で示した状態での図３の正面図であり、また、図３では支持足９〜１１が支持穴１４，１５に嵌まっている状態を黒丸で示している。この図３，４から理解できるように、支持足９〜１２が高位用支持穴１４，１６に嵌まっている状態では、天板ユニット２，３は本体１の後方に大きくはみ出ており、支持足９〜１２が低位用支持穴１３，１５に嵌まっている状態では、天板ユニット２，３は本体１の手前側に大きくはみ出ている（その意義は後述する。）。
【００３０】
図２（Ａ）及び図３（Ａ）では、天板ユニット２，３は高位状態においてもごく僅かながら本体１の手前にはみ出した状態に描いているが、これは作図上の便宜のためであり、実際にははみ出ていない（勿論、多少ははみ出しても良い。）。また、ｅ８＞ｅ６に設定しているため、両天板ユニット２，３とも、高位置では、天板ユニット２，３は前後両側にはみ出ている。
【００３１】
(3).支持足及び支持穴の具体的構造
次に、主として図５及び図６に基づいて支持足９〜１２と支持穴１３〜１６の具体的な構成を説明する。図５は図３の V-V視断面図、図６のうち（Ａ）の図５の VIA-VIA視断面図、（Ｂ）は支持足を構成するスリーブの断面図である。
【００３２】
本実施形態では、支持足９〜１２は、ボルト２０とこれに外側から嵌まったスリーブ２１とで構成されている。ボルト２０は上部のみに雄ねじが切られたものを使用しており、上端に当て板２２を溶接によって固着し、当て板２２をビス（図示せず）で天板ユニット２，３の下面に固定している。
【００３３】
スリーブ２１はボルト２０にねじ込まれているが、この場合、図６（Ｂ）に示すように、スリーブ２１の上部のみに雌ねじ２１ａを形成している。ボルト２０及びスリーブ２１ともねじは上部にしか形成されていないため、ねじ込みの手間を軽減できる。スリーブ２１は樹脂成形品又は金属の切削加工品のいずれも採用できるが、雌ねじ２１ａは上部のみに形成しているため、いずれにしても製造コストを抑制できる。
【００３４】
本実施形態ではスリーブ２１はボルト２０よりも短い長さになっており、このためボルト２０の下端部はスリーブ２１の下方に露出している。もちろん、ボルト２０はスリーブ２１の下方に露出していなくても良い。スリーブ２１は天板ユニット２，３の高さを微調整するアジャスタの役割も備えている。
【００３５】
支持穴１３〜１６は樹脂製のブッシュ２３で構成されており、ブッシュ２３を上板５に空けた取り付け穴に装着している。この場合、１つのブッシュ２３に前後近接した２つの支持穴を設けている。
【００３６】
本体１の内部には、ボルト２０が貫通すると共にスリーブ２１を支持するストッパーブラケット２４，２５が配置されている。低位用支持穴１３，１５の箇所のストッパーブラケットには符号２４を付し、高位用支持穴１４，１６の箇所のストッパーブラケットには符号２５を付している。言うまでないが、低位用支持穴１３，１５の箇所におけるストッパーブラケット２４は、高位用支持穴１４，１６の箇所のストッパーブラケット２５よりも低い高さになっている。
【００３７】
ストッパーブラケット２４，２５は金属板製で断面Ｌ字状に形成されており（他の形態でもよい）、外側支持穴１３ａ，１３ｂ，１４ａ，１４ｂ，１５ｃ，１５ｄ，１６ｃ，１６ｄの箇所のストッパーブラケット２４，２５は、本体１の内側板２６に溶接によって固着されており、内側支持穴１３ｃ，１３ｄ，１４ｃ，１４ｄ，１５ａ，１５ｇ，１６ａ，１６ｂの箇所におけるストッパーブラケット２４，２５は、本体１の内部を左右に仕切る２枚の仕切り板２７の相対向する内面に溶接によって固着されている。
【００３８】
ストッパーブラケット２４，２５にボルト２０の下向き露出部がずれ不能に嵌まっているため、支持足９〜１２はブッシュ２３とストッパーブラケット２４，２５とにて上下でずれ不能に保持されており、このため高い直立安定性を確保できる。言うまでもないが、ストッパーブラケット２４，２５の取り付け構造は本体１の構造に応じて任意に設定できる。ストッパーブラケットを採用せずに、例えば底付きのブッシュを装着して、ブッシュに支持足９〜１２の支持機能を保持せしめることも可能である。
【００３９】
なお、本体１の内側板２６と左右の仕切り板２７とには、棚板（図示せず）を高さ調節自在に装架するための角形の切欠き穴が多段に形成されている。また、本体１の上部でかつ前部にはカマチ部２８が形成されており、カマチ部２８に、扉６，７の上部をスライド自在にガイドするための上レール２９を装着している。図示していないが、底板の前部には下レールを装着している。
【００４０】
(4).まとめ
次に、使用例について図７も参照して説明する。図７（Ａ）は机（平机）３１を仮想線で表示した斜視図、（Ｂ）は一部破断平面図である。
【００４１】
机３１は、左右の脚３２で机天板３３を支持してなる平机のタイプになっており、キャビネットは使用者の右側に配置されており、キャビネットの左半分は机天板３３の下方に入り込み、右半分は机天板３３の手前側に露出している。そして、第１天板ユニット２は低位置にあって机天板３３との干渉は回避されており、他方、第２天板ユニット３は高位置にあって机天板３３と同じ高さになっている。
【００４２】
そして、キャビネットにおける本体１の背面は机３１における脚３２の内側面に密着しているが、天板ユニット２，３が高位置において本体１の後方にはみ出る寸法ｅ８は、机３１における脚３２の内側面から天板３３の端面までの平面視間隔ｅ９と略同じ寸法になっており、このため、第２天板ユニット３の後端面と机天板３３の右側面とが略同一面状に揃っている。このため体裁が良いと共に使い勝手も良い。キャビネットを使用者の左に配置する場合は、第１天板ユニット２を高位置として第２天板ユニット３を低位置としたら良い。
【００４３】
キャビネットを机とセットで使用する場合、キャビネットの全体又は大部分を天板３３の下方の空間に入り込ませたい場合があり、この使用態様の場合、特許文献２では天板ユニットを取り外さねばならず、すると天板ユニットき置き場に困るという問題がある。これに対して本願発明では、両天板ユニット２，３とも低位置に設定することができるため、天板ユニット２，３は本体１に取り付けたままでキャビネットの全体又は大部分を机天板３３の下方の空間に収納することができる。この点も本願発明の利点である。
【００４４】
キャビネットは、机３１とセットで使用することには限らず、独立して使用することがある。この場合は上面の全体が露出している。この使用態様では、両天板ユニット２，３は、高位置又は低位置に揃えて使用したり高さを変えて使用したりすることができ、このため、用途に応じて態様を選択できるため使い勝手が良い。両天板ユニット２，３の面積は本体１の半分の面積よりも大きいため、独立して使用するにおいて広い載置面積を得ることができる。また、両天板ユニット２，３は高さを変えると前後方向にずれるため、例えば物品の陳列に用いる場合、メリハリの利いた陳列と成すことが可能になる。
【００４５】
机３１と併用した使用態様の一つとして、机３とキャビネットとを左右に並設することが有り得るが、この場合は、両方の天板ユニット２，３を高位置に設定することにより、机天板３３と天板ユニット２，３を同一面の状態と成すことができる。この点も本願発明の利点の一つである。
【００４６】
(5).錠の詳細
次に、図８に基づいて錠８の構造と取り付け構造とを説明しておく。図８のうち（Ａ）は扉６，７を仮想線で表示した正面図、（Ｂ）は扉６，７を実線で表示した状態での（Ａ）のＢ−Ｂ視断面図、（Ｃ）は（Ｂ）のＣ−Ｃ視断面図である。
【００４７】
内扉６の右端部と外扉７の左端部とは正面視で重複しており、錠８は、内扉６の右端寄りの部位に取り付けている。本実施形態において、錠８は、内扉６の右端部に裏側に配置された錠本体３５と、錠本体３５に内蔵されてキーで回転するロータ３６と、ロータ３６と一体に回動する閂板（デッドボルト）３７と、錠本体３５の後面に固定した取り付け片３８とを備えている。
【００４８】
内扉６の裏面に固着した平面視後ろ向き開口コ字状の受け片３９に取り付け片３８が嵌め込み装着されており、これにより、錠本体３５はずれ不能に保持されている。更に述べると、取り付け片３８を（Ｂ）に矢印で示すように受け片３９に対して裏側から方向に押し込むと、取り付け片３８が受け片３９に弾性に抗しての変形によって係合し、かつ、錠本体３５の前向き突出部が内扉６に空けた丸穴に嵌合し、このため、錠本体３５はワンタッチ的な操作によって内扉６に離脱不能に保持される。
【００４９】
閂板３７は、施錠すると上昇動し解錠すると下降動するように配置されており、この閂板３７に、内扉６の端部と折り返し部６ａとに設けたスリット６ｂを貫通して外扉７における左端部の裏面に向けて延びる前向き部３７ａが一体に形成されており、かつ、前向き部３７ａの前端には上向きのストッパー部３７ｂが形成されている。なお、外扉６の折り返し縁部６ａには閂板３７の前向き部３７ａが上下動自在に嵌まる長穴が形成されている。
【００５０】
他方、外扉７の裏面には、閂板３７のストッパー部３７ｂが係脱するロック体４０が溶接によって固着されている。ロック体４０は板金製であって平面視袋状に形成されており、後ろ片４０ａと側片４０ｂとを有している。解錠状態では、閂板３７のストッパー部３７ｂはロック体４０の下方に位置しており、このため両扉６，７は開くことができる。
【００５１】
そして、両扉６，７を閉じた状態で施錠すると、閂板３７のストッパー部３７ｂがロック体４０の内部に入り込むため、扉６，７はいずれも開けることができない。
【００５２】
錠８の配置態様としては、錠８を内扉６の左端部又は外扉７の右端部に設けることが考えられるが、この配置態様では、キャビネットを机の内部に部分的に入り込ませて使用するにおいて、右使いの場合には解施錠しやすいが左使いの場合には錠が机の奥に位置して解施錠しにくくなったり、逆に、左使いの場合には解施錠しやすいが右使いの場合には解施錠しにくいというように、右使いと左使いとで解施錠の容易性が大きく異なる問題である。これに対して本実施形態では錠８は間口方向の略中間部に配置されているため、右使いでも左使いでも容易に解施錠できる。
【００５３】
なお、扉６，７のスライドを阻止するためには、ロック体４０は側片４０ｂのみを備えておれば足りると言えるが、側片４０ｂのみしか備えていない場合、外扉７を手前に引っ張るとストッパー部３７ｂと側片４０ｂとの引っ掛かり（ロック状態）が解除されてしまう可能性がある。これに対して、本実施形態のようにロック体４０に後ろ片４０ａも設けると、外扉７を手前に引っ張ってもロック状態が保持される利点がある。
【００５４】
ところで、内外の引き戸式扉を備えたキャビネットにおいて、錠をキャビネットの間口方向の略中間部に配置した先行文献として実公昭４１−８７１７号公報がある。この公報において、錠は外扉の端部に設けており、閂板の先端のストッパー部を内扉のロック部に係脱させている。
【００５５】
しかるに、錠はロック機能を高めるにはある程度の前後寸法が必要であるため、実公昭４１−８７１７号公報のように錠を外扉に設けると、外扉は必然的に前後厚さを大きくせねばならず、すると、錠を設けたことに基因して外扉が厚くなって体裁が悪くなる虞がある。これに対して本実施形態のように錠を内扉に設けると、両扉を厚くすることなくしっかりした錠を採用できるため、ロック機能を損なうことなく扉を薄型化できる利点がある（錠８は本体の内部空間に望んでいるため内扉６を厚くする必要はない。）。
【００５６】
また、施錠状態で扉を強引に開き動させることがあるが、実公昭４１−８７１７号公報では閂板は単に内扉のロック部に係合させているに過ぎず、閂板の姿勢を保持する措置を講じていないため、強引な開扉操作によって閂板が変形したり破損したりする虞がある。
【００５７】
これに対して本実施形態では、閂板３７の前向き部３７ａは内扉６の端部と折り返し部６ａとのスリット６ｂに貫通しているため、扉６，７を強引に空けようとしても前向き部３７ａが内扉６のスリット６ｂで左右動不能に保持されており、このため変形や破損を防止又は著しく抑制できる利点がある。なお、スリット６ｂは少なくとも内扉６の端部（正確には内扉６のうちその前面を構成する基板の端部）に形成すれば足りるが、折り返し部６ａにも設けるとより好ましい。
【００５８】
(6).他の実施形態
図９では天板ユニット２，３の高さ調節（変更）手段の別例を示している。このうち（Ａ）に示すのは第２実施形態であり、この実施形態では、支持足９〜１２を構成するボルト２０に調節リング４２をねじ込み、調節リング４２の高さを変えることで天板ユニット２，３の高さを変えている。なお、ボルト２０は頭２０ａを備えてものが使用されており、頭２０ａを当て板２２に溶接している。この実施形態では調節リング４２は微調整用アジャスタも兼用している。
【００５９】
（Ｂ）（Ｃ）に示す第３実施形態では、ブッシュ２３に、フランジ２３ａを挟んだ上下に高さＨ１，Ｈ２が異なる筒部２３ｂ，２４ｃを一体に設け、ブッシュ２３を上下姿勢を変えて上板５に嵌め変えることにより、天板ユニット２，３の支持高さを変えている。支持足９〜１２を構成するロッド３３の上部には、アジャスタナット４４が螺合しており、このアジャスタナット４４がブッシュ２３で支持される。この例の場合、ロッド４３の雄ねじは少なくとも上部に形成すれば足りる。
【００６０】
(7).その他
本願発明は上記の各実施形態の他にも様々に具体化できる。例えばキャビネットの本体は、扉を備えていない片面開口のオープン式のもの、前後に開口したオープン式のもの、四周が開放されたオープン式もの、上面も開放したもの、片開き又は観音開き式の回動式扉を備えたもの、抽斗を備えたもの、等の多くの形態を選択できる。
【００６１】
また、天板ユニットの高さを変える高さ変更手段しては、支持足を本体の支持穴に上下摺動自在に嵌めると共に、高位置状態で支持足を下降不能に保持するロック装置を備えて、レバー等の操作でロックを解除する構成とすることにより、前後位置を変えずに昇降させることも可能である。また、キャビネットにはキャスターを設けることも可能である。更に、可動天板を直列に配置した３枚以上の天板ユニットで構成して、各天板ユニットを任意に高さ変更可能とすることも可能である。
【図面の簡単な説明】
【００６２】
【図１】第１実施形態の分離斜視図である。
【図２】本体の平明図である。
【図３】使用状態の一例を示す一部省略平面図である。
【図４】図３のIV−IV視正面図である。
【図５】図４の V-V視断面図である。
【図６】（Ａ）は図５の VIA-VIA視断面図、（Ｂ）は支持足を構成するスリーブの断面図である。
【図７】机とセットで使用している状態の一例を示す図である。
【図８】錠の構造及び取り付け手段を示す図である。
【図９】他の実施形態を示す図である。
【符号の説明】
【００６３】
１  キャビネットの本体
２  可動天板を構成する第１天板ユニット
３  可動天板の構成する第２天板ユニット
５  上板
５ａ  第１エリア
５ｂ  第２エリア
９〜１２  支持足
１３〜１６  支持穴
１８  境界線
２０  支持足を構成するボルト（ロッド）
２１  支持足を構成するスリーブ
２３  ブッシュ
【図１】
2008073105.tif 000003
【図２】
2008073105.tif 000004
【図３】
2008073105.tif 000005
【図４】
2008073105.tif 000006
【図５】
2008073105.tif 000007
【図６】
2008073105.tif 000008
【図７】
2008073105.tif 000009
【図８】
2008073105.tif 000010
【図９】
2008073105.tif 000011